(57)【特許請求の範囲】
【請求項１】
光ディスクを再生して得られたデータ領域にある論理フォーマット上の所定位置のデータが、所定のデータを有するか否かに基づいて前記光ディスクの判別を行い、
前記光ディスクがビデオデータとともにこのビデオデータの再生動作に関する情報のデータが記録された光ディスクであると判別された場合で、かつ前記ビデオデータを再生する場合、前記光ディスクを再生して得られたデータに誤りが検出されたときに前記光ディスクから再度データを読み出すリトライ処理を、第１のリトライ回数を上限として実行し、
前記光ディスクがビデオデータとともにこのビデオデータの再生動作に関する情報のデータが記録された光ディスクでないと判別された場合又は前記光ディスクがビデオデータとともにこのビデオデータの再生動作に関する情報のデータが記録された光ディスクと判別された場合であっても前記再生動作に関する情報のデータを再生する場合の前記リトライ処理を、前記第１のリトライ回数より大きい前記第２のリトライ回数を上限として実行する
光ディスク再生方法。
【請求項２】
光ディスクを再生して記録されているデータを読み出すデータ読み出し手段と、
前記データ読み出し手段によって得られた論理フォーマット上の所定位置のデータが、所定のデータを有するか否かに基づいて前記光ディスクの判別を行い、前記光ディスクがビデオデータとともにこのビデオデータの再生動作に関する情報のデータが記録された光ディスクであると判別された場合で、かつ前記ビデオデータを再生する場合、前記光ディスクを再生して得られたデータに誤りが検出されたときに前記光ディスクから再度データを読み出すリトライ処理を、第１のリトライ回数を上限として実行し、前記光ディスクがビデオデータが記録された光ディスクでないと判別された場合又は前記光ディスクがビデオデータとともにこのビデオデータの再生動作に関する情報のデータが記録された光ディスクと判別された場合であっても前記再生動作に関する情報のデータを再生する場合の前記リトライ処理を、前記第１のリトライ回数より大きい前記第２のリトライ回数を上限として実行するよう制御する制御手段と
を具備する光ディスク装置。
【発明の詳細な説明】
技術分野 この発明は、物理的仕様が等しい複数種類の光ディスクを用いる場合に適した、光ディスク判別方法と光ディスク再生方法および光ディスク装置に関する。
背景技術 近年、光ディスクに関する技術の進歩に伴い、ディスクの物理的仕様が等しく、記録されている信号のコンテンツが異なるものが提供されている。例えばコンパクトディスクでは、音楽データを記録したＣＤ−ＤＡだけでなく、コンピュータ・データ等を記録したＣＤ−ＲＯＭ、および映像（動画）や音声等を記録したビデオＣＤ（Ｃｏｍｐａｃｔ Ｄｉｓｃ）等のディスクが提供されている。さらに、コンパクトディスクよりも記録密度を高めて記録容量を大容量化したＤＶＤ（Ｄｉｇｉｔａｌ Ｖｅｒｓａｔｉｌｅ Ｄｉｓｃ）と呼ばれる光ディスクでは、コンピュータ・データを記録したＤＶＤ−ＲＯＭ、映画等の映像や音声を記録したＤＶＤ−Ｖｉｄｅｏ等が提供されている。
ここで、ＣＤ−ＲＯＭは、ＣＤ−ＤＡのセクタのデータ領域に誤り訂正コードを記録可能として、この誤り訂正データを用いることでＣＤ−ＤＡよりも誤り訂正能力を向上できるようになされている。このため、ＣＤ−ＤＡに記録されている信号を読み出して復調処理を行うことで再生出力信号を得るディスク再生装置に、上述の誤り訂正コードを用いて誤り訂正処理を行うＣＤ−ＲＯＭデコード回路を設けることにより、１つのディスク再生装置でＣＤ−ＤＡとＣＤ−ＲＯＭの両方のディスクを再生することができる。またビデオＣＤは、ＣＤ−ＲＯＭ規格を拡張したＣＤ−ＲＯＭ ＸＡの物理フォーマットを用いて、ＭＰＥＧ（Ｍｏｖｉｎｇ Ｐｉｃｔｕｒｅ Ｅｘｐｅｒｔｓ Ｇｒｏｕｐ）１規格に準拠して圧縮された映像や音声のデータを記録したものである。このため、圧縮されたデータを復号化するＭＰＥＧデコーダ回路をディスク再生装置に更に設けるものとすれば、ＣＤ−ＤＡとＣＤ−ＲＯＭのディスクだけでなくビデオＣＤも１つのディスク再生装置で再生することができる。
ＤＶＤを再生するディスク再生装置でも同様に、ディスクに記録されている信号を読み出して復調処理や誤り訂正処理を行うことで再生出力信号を得るＤＶＤ−ＲＯＭのディスク再生装置に、ＭＰＥＧ（Ｍｏｖｉｎｇ Ｐｉｃｔｕｒｅ Ｅｘｐｅｒｔｓ Ｇｒｏｕｐ）２規格に準拠して圧縮された映像や音声のデータの復号化のＭＰＥＧデコーダ回路を設けることで、ＤＶＤ−ＲＯＭだけでなくＤＶＤ−Ｖｉｄｅｏのディスクも１つのディスク再生装置で再生することができる。
ところで、上述のような光ディスクでは、光ディスク自体に欠陥等を有している場合や光ディスクに傷が生じた場合あるいは光ディスクに塵が付着した場合等では、欠陥や傷、塵等の影響を受けて記録されているデータを正しく読み出すことができない場合が生じてしまう。このような場合、記録されているデータがコンピュータ・データのときには、記録されているデータの読み出しを再度行うリトライ処理を繰り返すことで、できるかぎり正しいデータを得ることが望ましい。しかし、記録されているデータが映像や音声のデータであるときには、リトライ処理を繰り返して正しいデータを得ようとすると、データが読み出されていない期間が長くなって映像や音声が途切れてしまう。
そこで、この発明では、どのようなデータが記録されている光ディスクであるかを判別して、それぞれの光ディスクに応じた再生動作を行うことができる光ディスク判別方法と光ディスク再生方法および光ディスク装置を提供するものである。
発明の開示 この発明に係る光ディスク判別方法は、光ディスクを再生して、論理フォーマット上の所定位置のデータが所定のデータを有するか否かに基づいて光ディスクの判別を行うものである。
また、光ディスクを所定の順序で再生するものとし、論理フォーマット上の所定位置のデータが再生されたときに光ディスクの判別を行うものである。
また、所定位置のデータは、光ディスクに記録されたブロック単位のデータであり、所定のデータは、ブロック内で完結する誤り訂正符号のデータである。
さらに、所定位置のデータは、光ディスクに記録された所定のファイル構造のデータであり、所定のデータは、記録されたデータのコンテンツに関するデータである。
次に、この発明に係る光ディスク再生方法は、光ディスクを再生して得られた論理フォーマット上の所定位置のデータが、所定のデータを有するか否かに基づいて光ディスクの判別を行うものとし、判別結果に応じて再生動作を制御するものである。
また、光ディスクを再生して得られたデータに誤りが検出されたときには、判別結果に応じて、誤り検出に対する応答処理を切り替えるものである。
また、誤り検出に対する応答処理では、光ディスクから再度データを読み出すリトライ処理を行うものとし、判別結果に応じて、正しいデータが得られるまでのリトライ処理回数あるいはリトライ処理時間を切り替えるものとし、誤りが検出されたデータが動作に関する制御データであるときには、誤り検出に対する応答処理の切り替えを無効とするものである。
さらに、判別結果に基づいて、光ディスクからのデータ読み出し速度や、光ディスクから先読みするデータのデータ量を切り替えるものである。
次に、この発明に係る光ディスク装置は、光ディスクを再生して記録されているデータを読み出すデータ読み出し手段と、データ読み出し手段によって得られた論理フォーマット上の所定位置のデータが、所定のデータを有するか否かに基づいて光ディスクの判別を行い、判別結果に応じた動作制御を行う制御手段とを備えるものである。
また、データ読み出し手段によって得られたデータの誤りを検出する誤り検出手段を有し、制御手段では、誤り検出手段によって誤りが検出されたときに、判別結果に応じて、誤り検出に対する応答処理を切り替えるものである。
さらに、制御手段では、判別結果に基づいてデータ読み出し手段を制御して光ディスクからのデータ読み出し速度を切り替えたり、データ読み出し手段を制御して、光ディスクから先読みするデータのデータ量を判別結果に応じて切り替えるものである。
発明を実施するための最良の形態 続いて、この発明について図を参照して詳細に説明する。第１図は、光ディスク、例えばコンパクトディスクの構成を示している。コンパクトディスクの内周側にはリードイン領域が設けられていると共に、外周側にはリードアウト領域が設けられている。また、リードイン領域とリードアウト領域の間に位置する領域はデータ領域とされている。
ここで、コンパクトディスクに記録されたＣＤ信号の１フレームは、第２図に示すように、フレーム同期信号とサブコードおよびデータとパリティから構成されている。サブコードは、Ｐチャネル〜Ｗチャネルの８ビットとされており、ＣＤ信号の９８フレーム分で１サブコードフレームが構成されている。このサブコードフレームでは、最初の２ＣＤ信号フレーム分が同期信号Ｓｙｎｃ−０，Ｓｙｎｃ−１とされており、残りの９６フレーム分で情報が示される。
サブコードのＱチャネル（以下「サブコードＱ」という）は、第３図に示すようにコントロールフィールド（Ｑ０〜Ｑ３）とアドレスフィールド（Ｑ４〜Ｑ７）、データフィールド（Ｑ９〜Ｑ８０）およびＣＲＣフィールド（Ｑ８１〜Ｑ９６）で構成されている。
コントロールフィールドでは、記録されている信号が音声かディジタルデータかを判別する情報、音声のチャネル数を判別する情報、エンファシスの有無を判別する情報等が示される。例えばプリエンファシスのない２チャネルオーディオでは、コントロールフィールドが（００００）とされる。またディジタルデータを記録したディスク、例えばＣＤ−ＲＯＭでは、コントロールフィールドが（０１ｘ０（ｘは０あるいは１））とされている。
アドレスフィールドでは、このアドレスフィールドに続くデータフィールドがどのような内容の情報を示しているかが示されると共に、データフィールドでは、アドレスフィールドと関連付けた情報が示される。例えばアドレスフィールドが（０００１）であるときには、データフィールドでトラック番号や経過時間および絶対時間等が示される。また、アドレスフィールドが（００１１）であるときには、データフィールドでＩＳＲコード（Ｉｎｔｅｒｎａｔｉｏｎａｌ Ｓｔａｎｄａｒｄ Ｒｅｃｏｒｄｉｎｇ Ｃｏｄｅ）が示される。ＣＲＣフィールドはパリティビットが設けられる。なお、第１図に示すリードイン領域では、データフィールドで示されるトラック番号ＴＲが「００」とされており、リードアウト領域ではトラック番号ＴＲが「ＡＡ」とされている。
コンパクトディスクがＣＤ−ＲＯＭであるときには、第２図に示すようにＣＤ信号のフレームのデータ領域を９８フレーム分、すなわち２３５２バイトを１ブロックとして、このブロック単位で信号が記録される。
このＣＤ−ＲＯＭでは、記録するデータの種類によりブロック内のデータ構成が第４図に示すようにモード０〜モード２の３種類に区分されている。第４Ａ図に示すモード０は、リードイン領域やリードアウト領域をＣＤ−ＲＯＭ構造としたときのダミーブロックとして用いられる。ブロックの先頭の１２バイトは、ブロックを区分けするための同期信号であり、次の４バイトがヘッダ領域として用いられる。また、残りの２３３６バイトは全て「０」とされている。
第４Ｂ図に示すモード１は、コンピュータ・データを記録する場合に用いられており、ヘッダ領域に続く２０４８バイトがユーザデータ領域として用いられる。残りの２８８バイトは補助データ領域とされて、ブロック内で完結する誤り訂正符号が記録される。すなわち、図に示すように、補助データ領域にはエラー検出符号であるＣＲＣ（Ｃｙｃｌｉｃ Ｒｅｄｕｎｄａｎｃｙ Ｃｏｄｅ）やエラー訂正符号であるパリティが記録されて、同期信号を除く２３４０バイトの領域に対し誤り検出訂正が可能とされる。このように、ＣＩＲＣ（Ｃｒｏｓｓ Ｉｎｔｅｒｌｅａｖｅ Ｒｅｅｄ−Ｓｏｌｏｍｏｎ Ｃｏｄｅ）だけでなく、ブロック内で完結する誤り訂正符号（Ｌａｙｅｒｅｄ ＥＣＣ）を設けることで、ビット誤り率が１０−１２程度に改善される。
モード２では、ヘッダ領域に続く２３３６バイトがユーザデータ領域として開放されており、コンピュータデータと映像や音声のデータのインタリーブを可能とするＣＤ−ＲＯＭ ＸＡの規定では、モード２に対してフォーム１とフォーム２が設けられている。第４Ｃ図に示すモード２のフォーム１では、ヘッダ領域に続く８バイトがサブヘッダ領域とされており、このサブヘッダ領域に続く２０４８バイトがデータ領域とされてコンピュータ・データが記録される。このデータ領域に続く２８０バイトの領域は補助データ領域とされて、ブロック内で完結する誤り訂正符号が記録される。また、第４Ｄ図に示すモード２のフォーム２では、ヘッダ領域に続く８バイトがサブヘッダ領域とされており、このサブヘッダ領域に続く２３２４バイトが映像や音声のデータ領域とされる。このデータ領域に続く４バイトはリザーブ領域とされている。
さらに、ＣＤ−ＲＯＭでは、コンピュータ装置のオペレーティングシステムに依存することなく記録されているデータを読み出すことができるように、ＩＳＯ（Ｉｎｔｅｒｎａｔｉｏｎａｌ Ｏｒｇａｎｉｚａｔｉｏｎ ｆｏｒ Ｓｔａｎｄａｒｄｉｚａｔｉｏｎ）９６６０として規格化された第５図に示すディスク構造が採用されている。
上述のリードイン領域とリードアウト領域間に設けられたデータ領域では、記録する情報のデータに対して２ｋバイト単位でＬＢＮ（Ｌｏｇｉｃａｌ Ｂｌｏｃｋ Ｎｕｍｂｅｒ：論理ブロック番号）の割当てが行われており、最初のＬＢＮ「０」の位置は、リードイン領域の終了位置から１５０セクタ分（オーディオの２秒分に相当）のプリギャップを経過した位置とされている。
ここで、ＬＢＮ「０」〜「１５」はシステムエリアとして用いられていることから、ＣＤ−ＲＯＭに記録されたデータの領域はＬＢＮ「１６」から開始される。
ＬＢＮ「１６」からは、ＰＶＤ（Ｐｒｉｍａｒｙ Ｖｏｌｕｍｅ Ｄｅｓｃｒｉｐｔｏｒ）が記録されている。ＰＶＤのボリューム記述子では、ボリューム記述子のタイプやファイルフォーマットの識別情報、ＬＢ（論理ブロック）のサイズ、「Ｐａｔｈ Ｔａｂｌｅ」の大きさやアドレスおよび「Ｒｏｏｔ Ｄｉｒｅｃｔｏｒｙ Ｒｅｃｏｒｄ」など、記録されているデータを再生するために必要な情報が記録されている。
このＰＶＤの後に、ディレクトリファイルの先頭を示すパステーブルやファイルの先頭位置等を示すディレクトリが記録されている。
次に、ＣＤ−ＲＯＭ ＸＡ規格のフォーマットで、ＭＰＥＧ（Ｍｏｖｉｎｇ Ｐｉｃｔｕｒｅ Ｅｘｐｅｒｔｓ Ｇｒｏｕｐ）１規格に準拠したデータ圧縮が行われている映像や音声のコンテンツのデータを記録したビデオＣＤについて説明する。
ビデオＣＤでは、第６図に示すように、リードイン領域に続くトラック番号ＴＲ＝「０１」の領域にＰＶＤやカラオケインフォメーション部、ビデオＣＤインフォメーション部、セグメントプレイ部、ＣＤ−Ｉアプリケーション部が設けられている。さらにトラック番号ＴＲ＝「０２」以降に、映像や音声の信号が圧縮して記録される。なお、トラック番号ＴＲ＝「０１」は、モード２のフォーム１でデータが記録されると共に、トラック番号ＴＲ＝「０２」以降は、モード２のフォーム２で圧縮データが記録される。
ビデオＣＤインフォメーション部は各種のディスク情報等が記録された領域であり、１セクタ（ユーザーデータ２Ｋバイト）の「ＩＮＦＯ．ＶＣＤ」と１セクタの「ＥＮＴＲＩＥＳ．ＶＣＤ」、３２セクタの「ＬＯＴ．ＶＣＤ」、最大２５６セクタの「ＰＢＣ．ＶＣＤ」で構成されている。
この「ＩＮＦＯ．ＶＣＤ」には、ディスクに関する情報や後述するセグメントプレイアイテムに関する情報等が記録されている。「ＥＮＴＲＩＥＳ．ＶＣＤ」には、トラック番号ＴＲ＝「０２」以降に記録された映像や音声のデータの再生位置を示すエントリー番号が記録されている。このエントリー数は、最大５００個設定することができるものである。「ＬＯＴ．ＶＣＤ」には、再生手順に対応したリストのアドレスを示したテーブルが記録されて、「ＰＢＣ．ＶＣＤ」には、再生手順のリストが記録されている。
トラック番号ＴＲ＝「０２」以降では、第７Ａ図に示すように、トラックの先頭から１５０セクタ分（インデックス番号「００」）経過した位置に１５セクタ分のフロントマージン領域が設けられていると共に、トラックの終了位置から１５セクタ分がリアマージン領域とされている。このフロントマージン領域とリアマージン領域との間に位置する領域が圧縮データ領域とされており、映像や音声の圧縮データが記録される。また、圧縮データ領域には、第７Ｂ図に示すように、圧縮ビデオデータのセクタＶＳと圧縮オーディオデータのセクタＡＳの比率が平均的に約６：１となるようにインタリーブ記録されて、映像については転送レートが約１．２Ｍビット／秒、音声については転送レートが約０．２Ｍビット／秒とされている。
第７Ｃ図は、圧縮ビデオデータのセクタＶＳのフォーマットを示している。１セクタ分の２３２４バイトのデータは、第４Ｄ図に示すモード２フォーム２のデータ領域におけるデータとして光ディスクに記録される。圧縮ビデオデータのセクタＶＳはパックヘッダ部とパケット部から構成されており、パケット部に設けられたビデオデータ領域が圧縮ビデオデータ用の領域とされる。パックヘッダ部にはパックヘッダのスタートコードとシステムクロックリファレンスＳＣＲ等が設けられている。またパケット部のパケットヘッダとして、スタートコードやＩＤ、プレゼンテーションタイムスタンプＰＴＳ、デコーディングタイムスタンプＤＴＳ等が設けられている。なお、ＳＴＤ Ｂｕｆｆｅｒは、先頭パケットのみ設けられる。
第７Ｄ図は、圧縮オーディオデータのセクタＡＳのフォーマットを示している。１セクタ分の２３２４バイトのデータは、圧縮ビデオデータと同様にモード２フォーム２の形式で光ディスクに記録される。また圧縮オーディオデータのセクタも圧縮ビデオデータのセクタと同様に、パックヘッダ部とパケット部から構成されており、パケット部に設けられたオーディオデータ領域が圧縮オーディオデータ用の領域とされる。パックヘッダ部にはパックヘッダのスタートコードとシステムクロックリファレンスＳＣＲ等が設けられている。またパケット部のパケットヘッダとして、スタートコードやＩＤ、プレゼンテーションタイムスタンプＰＴＳ、デコーディングタイムスタンプＤＴＳ等が設けられている。
なお、光ディスクに記録されている圧縮ビデオデータや圧縮オーディオデータを再生する際には、圧縮ビデオデータのセクタＶＳと圧縮オーディオデータのセクタＡＳに設けられているシステムクロックリファレンスＳＣＲやプレゼンテーションタイムスタンプＰＴＳ、デコーディングタイムスタンプＤＴＳを利用して映像と音声の同期処理が行われる。
ここで、上述のように構成されたコンパクトディスクの再生中に、ディスクの欠陥や傷あるいは塵の付着等により記録された信号を正しく読み出すことができない場合が生じたときには、この信号が正しく読み出されていない領域に対して再度信号の読み出しを行い、正しく信号を読み出すことができるようにリトライ処理を行う。また、このリトライ処理では、コンパクトディスクに記録されているデータに応じた処理を行う。例えば記録されているデータがコンピュータ・データのときには、正しいデータを得ることを重視したリトライ処理を行い、記録されているデータが映像や音声のデータであるときには、映像や音声が途切れないようにある程度のデータの欠落を許容して動作の連続性を重視したリトライ処理を行う。以下、正しいデータを得ることを重視したリトライ処理を通常リトライ処理、動作の連続性を重視したリトライ処理を簡易リトライ処理という。
第８図は、リトライ処理を示すフローチャートである。記録された信号を正しく読み出すことができずリトライ処理が行われてステップＳＴ１に進むと、ステップＳＴ１ではリトライ処理を行うデータがブロック内で完結する誤り訂正符号を有しているか否かを判別する。
ここで、補助データ領域が設けられてパリティ等が記録されているときには、ブロック内で完結する誤り訂正符号を有していると判別してステップＳＴ２に進む。また、ブロック内で完結する誤り訂正符号を有していると判別されないときにはステップＳＴ３に進む。
ステップＳＴ２では、記録されているデータの誤り訂正能力が向上されていることから、コンパクトディスクに記録されているデータは、コンピュータ・データのように高い信頼性が要求されるデータであるものとして通常リトライ処理を行う。この通常リトライ処理では、記録されているデータを正しく読み出すことができるまで行うリトライ回数Ｎを所定回数ＮＥ以下とすると共に、ＮＥ回だけ読み出し動作を繰り返しても記録されたデータを正しく読み出すことができないときには、エラーを通知して正しいものと判別されていないデータを転送することなくリトライ処理を終了する。なお、読み出し動作の繰り返しは、回数だけでなく時間で制限するものとしても良い。また、読み出し動作を繰り返す際には、記録されているデータを容易に読み出すことができるような処理、例えば高速再生動作が行われているときにディスクの回転速度を低下させて、データを読み出し易くする処理を合わせて行うものとしても良い。
ステップＳＴ３では、ブロック内で完結する誤り訂正符号が用いられていないことから、記録されているデータは、コンピュータ・データのように高い信頼性が要求されるものではなく、動作の連続性すなわちデータの転送レート確保を優先するデータであるとして簡易リトライ処理を行う。
この簡易リトライ処理では、リトライ回数Ｎの最大値を所定回数ＮＥよりも少ない所定回数ＮＦとする。また、読み出し動作の繰り返しを時間で制限する場合には、通常リトライ処理よりも制限時間を短く設定する。さらに、データの転送レートが極端に低下して映像や音声が途切れてしまうことがない範囲でデータの読み出し動作を繰り返すものとしても良い。ここで、記録されたデータを正しく読み出すことができないときには、正しいものと判別されていないデータも転送してリトライ処理を行う。
このように、ブロック内で完結する誤り訂正符号を有しているときには通常リトライ処理を行うと共に、ブロック内で完結する誤り訂正符号を有していないときには簡易リトライ処理とすることで、コンピュータ・データのように高い信頼性が要求されるデータに対しては、正しくデータを読み出すことを優先させたリトライ処理が行われると共に、データを正しく読み出すことができないときにはエラー通知が行われるので、正しいデータだけを出力できる。また、所定回数ＮＥを多くすることにより、データを正しく読み出せる確率を高くできる。さらに、映像や音声データのように転送レート確保を優先するデータに対しては、連続性を優先させたリトライ処理が行われるので、映像や音声を途切れることなく再生できる。
ところで、上述のＣＤ−ＲＯＭ ＸＡの規定は、コンピュータ・データと映像や音声データを混在可能とするものであり、第４Ｃ図や第４Ｄ図に示すモード２では、サブヘッダを有している。このサブヘッダは第９図に示すように、ファイル番号、チャネル番号、フォーム１の形式であるかフォーム２の形式であるか等を判別可能とするサブモード情報、データタイプからなる４バイトのヘッダ情報が２度繰り返されて記録されている。次に、このサブヘッダを利用することで、記録されているデータに応じた最適なリトライ処理を行う場合を説明する。
第１０図はサブヘッダを利用したリトライ処理を示すフローチャートである。記録された信号を正しく読み出すことができずリトライ処理が行われてステップＳＴ１１に進むと、ステップＳＴ１１ではリトライ処理を行うデータのセクタがサブヘッダを有しているか否かを判別する。ここで、サブヘッダを有していると判別されたときにはステップＳＴ１２に進み、サブヘッダを有していないと判別されたときにはステップＳＴ１４に進む。
ステップＳＴ１２では、サブヘッダのサブモード情報に基づきフォーム２の形式であるか否かを判別する。ここで、フォーム２の形式であると判別されたときにはステップＳＴ１３に進み、フォーム２の形式でないと判別されたときにはステップＳＴ１４に進む。
ステップＳＴ１３では、データがモード２のフォーム２形式で記録されており、ブロック内で完結する誤り訂正符号を有していないことから、記録されているデータは高い信頼性よりも転送レートを確保して連続性を優先するデータであるものと判別して簡易リトライ処理を行う。
また、ステップＳＴ１１やステップＳＴ１２からステップＳＴ１４に進むと、ステップＳＴ１４では、記録されているデータが転送レートを確保して連続性を優先するデータでない、すなわち高い信頼性を確保するデータであるとして通常リトライ処理を行う。
このように、サブヘッダを利用することで、記録されているデータに応じた最適なリトライ処理を行うこともできる。
また、第８図および第１０図に示すフローチャートでは、リトライ処理を行う際にブロック内で完結する誤り訂正符号を有しているか否か、あるいはサブヘッダに基づいてリトライ処理を通常リトライ処理あるいは簡易リトライ処理に設定するものとした。しかし、この場合には、ディスクの欠陥等によってリトライ処理を行うセクタの情報を正しく読み出すことができない場合が生じたときに、誤った判断を行ってしまうおそれもある。このため、リトライ処理を行う直前の正しくデータを読み出すことのできたセクタに関する情報を利用して、ブロック内で完結する誤り訂正符号を有しているか否かを判別したり、正しくデータを読み出すことのできたセクタでのサブヘッダに基づいてリトライ処理を通常リトライ処理あるいは簡易リトライ処理に設定しても良い。
さらに、第１０図のステップＳＴ１１でサブヘッダが無いと判別されたとき、第８図に示すフローチャートの処理を行うものとすれば、サブヘッダを有していないコンパクトディスクに対しても、ブロック内で完結する誤り訂正符号を有しているか否かによって、リトライ処理を通常リトライ処理あるいは簡易リトライ処理に設定することができる。
ところで、上述の実施の形態では、データの再生中、記録された信号を正しく読み出すことができずリトライ処理を行う際にリトライ処理を通常リトライ処理あるいは簡易リトライ処理に設定するものとしたが、種々のコンパクトディスクを再生できるディスク再生装置では、例えばコンパクトディスクがディスク再生装置に装着されたときに、コンパクトディスクに記録されている情報を利用してコンパクトディスクがＣＤ−ＤＡ、ＣＤ−ＲＯＭ、ビデオＣＤ等のいずれのディスクであるかが判別されて、ディスク判別に基づきそれぞれのディスクに応じた信号処理動作を行い正しい再生信号が出力される。このため、ディスク判別結果に基づいてリトライ処理を通常リトライ処理あるいは簡易リトライ処理に設定するものとしても良い。
第１１図は、ＣＤ−ＤＡだけでなくＣＤ−ＲＯＭやビデオＣＤを再生できるディスク再生装置の構成を示している。コンパクトディスク１０はスピンドルモータ部３２によって、所定の速度で回転される。なお、スピンドルモータ部３２は、後述するサーボ制御部２４からのスピンドル制御信号ＳＰに基づいて、コンパクトディスク１０の回転速度が所定の速度となるように駆動される。
コンパクトディスク１０には、光ピックアップ２１から光量をコントロールした光ビームが照射される。コンパクトディスク１０で反射された光ビームは、光ピックアップ２１の光検出部（図示せず）に照射される。光検出部では反射された光ビームに基づき光電変換や電流電圧変換を行い、反射された光ビームの光量に応じた信号レベルの電圧信号を生成してＲＦアンプ部２２に供給する。
ＲＦアンプ部２２では、光ピックアップ２１からの電圧信号を用いて読出信号ＳＲＦを生成してＣＤ信号処理部２３に供給する。またトラッキング誤差信号ＳＴＥ、フォーカス誤差信号ＳＦＥを生成して、サーボ制御部２４に供給する。
サーボ制御部２４では、供給されたフォーカス誤差信号ＳＦＥに基づき、レーザ光の焦点位置がコンパクトディスク１０の記録層の位置となるように光ピックアップ２１の対物レンズ（図示せず）を制御するためのフォーカス制御信号ＳＦＣを生成して、ドライバ２５に供給する。また、供給されたトラッキング誤差信号ＳＴＥに基づき、光ビームの照射位置が所望のトラックの中央位置となるように光ピックアップ２１の対物レンズを制御するためのトラッキング制御信号ＳＴＣを生成して、ドライバ２５に供給する。また、サーボ制御部２４では、スレッド駆動信号ＳＳＬを生成してスレッドモータ部３３に供給して、このスレッドモータ部３３によって光ピックアップ２１をコンパクトディスク１０の径方向に移動させる。
ドライバ２５では、フォーカス制御信号ＳＦＣに基づいてフォーカス駆動信号ＳＦＤを生成すると共に、トラッキング制御信号ＳＴＣに基づいてトラッキング駆動信号ＳＴＤを生成する。この生成されたフォーカス駆動信号ＳＦＤおよびトラッキング駆動信号ＳＴＤを、光ピックアップ２１のアクチュエータ（図示せず）に供給することにより対物レンズの位置が制御されて、光ビームが所望のトラックの中央位置で焦点を結ぶように制御される。
ＣＤ信号処理部２３では、供給された読出信号ＳＲＦに対してアシンメトリ補正および２値化を行いディジタル信号に変換する。さらにＥＦＭ復調処理やＣＩＲＣ再生処理を行い再生信号Ｄａａを生成する。さらに、コンパクトディスク１０に記録されているサブコードの情報やコンパクトディスクの所定の位置に記録されている情報を制御部３５に供給する。
ここで、後述する制御部３５によって、コンパクトディスク１０がＣＤ−ＤＡであると判別されたときには、ＣＤ信号処理部２３から出力される再生信号Ｄａａを音声出力部２６に供給する。音声出力部２６では、ＣＤ信号処理部２３から供給されたディジタルの再生信号Ｄａａや、後述するＭＰＥＧデコーダ２９からの再生信号Ｄａｖをアナログの音声信号Ｓａに変換して出力する。また、ＣＤ−ＲＯＭやビデオＣＤと判別されたときには、再生信号ＤａａをＣＤ−ＲＯＭデコーダ２７に供給する。
ＣＤ−ＲＯＭデコーダ２７では、ブロック内で完結する誤り訂正符号を用いたデコード処理を行う。また制御部３５によって、コンパクトディスク１０がＣＤ−ＲＯＭであると判別されたときには、デコード処理して得られた信号を再生信号Ｄｂとしてインタフェース２８を介して外部機器に出力する。また、制御部３５によってコンパクトディスク１０がビデオＣＤであると判別されたときには、再生信号ＤｂをＭＰＥＧデコーダ２９に供給する。
ＭＰＥＧデコーダ２９では、映像のセクタＶＳと音声のセクタＡＳの信号を分離して、圧縮されている映像のデータに対して復号化処理を行い、再生信号Ｄｖを生成する。また圧縮されている音声のデータに対しても復号化処理を行い、再生信号Ｄａｖを生成する。さらに、ビデオＣＤに記録されているシステムクロックリファレンスＳＣＲやプレゼンテーションタイムスタンプＰＴＳ、デコーディングタイムスタンプＤＴＳを利用して、映像の再生信号Ｄｖと音声の再生信号Ｄａｖを同期させて出力する。映像の再生信号Ｄｖは映像出力部３０に供給されると共に、音声の再生信号Ｄａｖは音声出力部２６に供給される。映像出力部３０では、再生信号Ｄｖを例えばＮＴＳＣ方式等の映像出力信号Ｓｖｏｕｔに変換して出力する。
制御部３５には操作部３６や表示部３７が接続されており、この操作部３６が操作されて操作信号ＰＳが制御部３５に供給されると、制御部３５ではＲＯＭ３８に記憶されている動作制御プログラムに基づき各部を制御して、操作部３６での操作に対応した動作を行う。また、制御部３５では、インタフェース２８を介して外部機器、例えばコンピュータ装置から供給されたコマンドに基づいて各部を制御することも行われる。
さらに制御部３５では、ＣＤ信号処理部２３から供給されたサブコードや所定の位置から読み出した情報に基づいてコンパクトディスクの判別を行い、判別結果に基づき、コンパクトディスクの種類に応じた再生動作や信号出力処理を行う。また、表示信号ＨＳを生成して表示部３７に供給することにより、ディスク再生装置の動作状態やコンパクトディスクから読み出された情報等を表示部３７に表示させる。
ここで、ディスク再生装置でのリトライ処理の設定動作を第１２図のフローチャートを用いて説明する。ディスク再生装置にコンパクトディスク１０が装着されると、ステップＳＴ２１では、リードイン領域に記録されたＴＯＣ情報を読み出してステップＳＴ２２に進む。
ステップＳＴ２２では、制御部３５によって、ＴＯＣ情報と共に読み出されたサブコードＱのコントロールフィールドのデータに基づきコンパクトディスク１０がデータを記録したディスクであるか否かを判別する。ここで、コントロールフィールドのデータが（０１ｘ０）とされており、データを記録したディスクであると判別されたときにはステップＳＴ２３に進む。また、データを記録したディスクであると判別されないとき、例えばＣＤ−ＤＡのようにコントロールフィールドのデータが（００００）とされているときにはステップＳＴ２６に進む。
ステップＳＴ２３では、トラック番号がＴＲ＝「０１」の領域にビデオＣＤ識別情報が記録されているかを判別する。第１３図はビデオＣＤ識別情報の確認処理を示すフローチャートである。
ステップＳＴ３１では、第６図に示すように、ビデオＣＤインフォメーション部の開始位置である４．００秒の位置（論理ブロックアドレスＬＢＡ＝９６ｈ（ｈは１６進数であることを示す））からデータを読み出してステップＳＴ３２に進む。ステップＳＴ３２では、データを正しく読み出すことができたか否かを判別する。ここでデータを正しく読み出すことができたときにはステップＳＴ３３に進む。またデータを正しく読み出すことができないときにはステップＳＴ３６に進む。
ステップＳＴ３３では、４．００秒の位置のセクタから読み出したデータのうち、ユーザ情報のデータを先頭から８バイト分だけ取得する。第１４図は、４．００秒の位置のセクタから読み出したデータの一例を、同期信号を除いて示している。このデータの先頭４バイトはヘッダであり、ヘッダの構成は第１５図に示すように最初の３バイトによって「分、秒、フレーム」が示されて、次の１バイトでモード区分が示される。ビデオＣＤインフォメーション部は、上述したように４．００秒の位置から開始されるので、ヘッダの最初の３バイトは「００，０４，００」となっている。次の１バイトはモード区分を示しており、データが「０２」であることからモード２のデータ構造であることが示される。さらに、モード２であるときには上述の第４Ｃ，４Ｄ図に示すようにヘッダに続いてサブヘッダが設けられる。このため、モードを示すデータの後に続く８バイトはサブヘッダを示すものとなる。サブヘッダは第９図に示すように、４バイトのヘッダ情報が２度繰り返して記録されるものであり、第１４Ａ図の場合ではサブヘッダのヘッダ情報「００，００，８９，００」が２度繰り返される。また第１４Ｂ図の場合ではサブヘッダのヘッダ情報「００，０１，８８，００」が２度繰り返される。
このサブヘッダの後に位置するデータがビデオＣＤインフォメーション部のユーザ情報であり、先頭位置から１３バイト目がビデオＣＤインフォメーション部のユーザ情報の開始位置となる。すなわち、ステップＳＴ３３では、同期信号を除いた先頭から１３バイト目からデータの取得を開始して２０バイト目でデータの取得を終了することで、ビデオＣＤインフォメーション部のデータを先頭から８バイト分だけ取得することができる。
ここで、ビデオＣＤの場合には、第１４図に示すように、ビデオＣＤインフォメーション部のユーザ情報の先頭から８バイト分が、ビデオＣＤ識別情報としての所定の文字列「ＶＩＤＥＯ＿ＣＤ」を示すデータ「５６，４９，４４，４５，４Ｆ，５Ｆ，４３，４４」とされている。このため、ステップＳＴ３４では、ステップＳＴ３３で取得したデータが所定の文字列のデータ、すなわち「ＶＩＤＥＯ＿ＣＤ」を示すデータ「５６，４９，４４，４５，４Ｆ，５Ｆ，４３，４４」であるか否かを判別することで、ビデオＣＤ識別情報の有無を判別できる。このステップＳＴ３４でデータ「５６，４９，４４，４５，４Ｆ，５Ｆ，４３，４４」とステップＳＴ３３で取得したデータが一致するときには、ビデオＣＤ識別情報が検出されたものとしてステップＳＴ３５に進む。また、データが一致しないときには、ビデオＣＤ識別情報が検出されなかったものとしてステップＳＴ３６に進む。
ステップＳＴ３５では、ビデオＣＤ識別情報が検出されたことから、制御部３５内のレジスタに設定したビデオＣＤ識別フラグをオン状態としてビデオＣＤ識別情報確認処理を終了する。またステップＳＴ３２やステップＳＴ３４からステップＳＴ３６に進むと、ビデオＣＤ識別情報が検出されていないことからビデオＣＤ識別フラグをオフ状態としてビデオＣＤ識別情報確認処理を終了する。
第１２図のステップＳＴ２３ではビデオＣＤ識別情報が検出されたか否かを判別する。ここで、第１３図に示す処理によってビデオＣＤ識別フラグがオフ状態とされており、ビデオＣＤ識別情報が検出されていないことが示されているときにはステップＳＴ２５に進む。また、ビデオＣＤ識別フラグがオン状態とされており、ビデオＣＤ識別情報が検出されたことが示されているときにはステップＳＴ２６に進む。
ステップＳＴ２５では、制御部３５内に設けた処理モード設定フラグ、すなわちデータを正しく読み出すことができなかったときに行われるリトライ処理を通常リトライ処理あるいは簡易リトライ処理に設定するためのフラグを、通常リトライ処理モードに設定する。また、ステップＳＴ２２やステップＳＴ２４からステップＳＴ２６に進むと、ステップＳＴ２６では処理モード設定フラグを簡易リトライ処理モードに設定する。
その後、ディスク再生装置でコンパクトディスク１０の再生が行われて、記録されているデータを正しく読み出すことができない場合が生じたときには、処理モード設定フラグに基づいて通常リトライ処理あるいは簡易リトライ処理を行う。
このように、ディスク装着時に自動的にコンパクトディスクの判別を行うと共に、判別結果に基づいてリトライ処理を通常リトライ処理あるいは簡易リトライ処理に設定することでも、コンピュータ・データのように高い信頼性が要求されるデータに対しては、正しくデータを読み出すことを優先させたリトライ処理を行うように設定できると共に、映像や音声データのように転送レート確保を優先するデータに対しては、連続性を優先させたリトライ処理を行うように設定できるので、記録されているデータに応じた最適なリトライ処理が可能となる。
また、映像や音声データのように転送レート確保を優先するデータに対しては、連続性を優先させたリトライ処理が行われると共に、データが正しくなくとも再生動作が継続される。このため、品質の良くない光ディスクを再生する場合であっても映像や音声の出力信号を得ることができる。
なお、ビデオＣＤ識別情報としての所定の文字列「ＶＩＤＥＯ＿ＣＤ」の検出は、上述のようにディスク再生装置で自動的に行うだけでなく、ホストコンピュータ等の外部機器や再生アプリケーションがディスク認識するためにディスク再生装置に対してリード要求を行ったときに、検出するものとしても良い。また、ビデオＣＤ識別情報としての所定の文字列「ＶＩＤＥＯ＿ＣＤ」は所定の位置に記録されていることから、容易に検出を行うことができる。
さらに、上述の実施の形態では、コンパクトディスクの判別結果に基づいてリトライ動作を選択するものとしたが、コンパクトディスクの判別結果を他の動作にも利用するものとしても良い。
ここで、コンパクトディスクの判別結果に基づいてスピンドルモータの回転制御を切り替えるものとする。例えば、ビデオＣＤであると判別された場合、映像再生であってデータを高速に読み出す必要性が少ないことから標準速度でディスクを回転させることにより、消費電力の増加を防止したりディスク装置の動作音を小さくできる。また、ＣＤ−ＲＯＭであると判別された場合、標準速度よりも高速にディスクを回転させてデータの読み出しを行うことによりデータの転送速度を高めることが可能となり、コンピュータ装置での処理を行う際にＣＤ−ＲＯＭから効率よくデータを読み出すことができる。
また、ディスクの判別結果に基づいて先読みするデータのデータ量を切り替えることもできる。ビデオＣＤでは、映像等の再生のために記録されているデータをシーケンシャルに読み出すことが多い。このため、ビデオＣＤのディスクであると判別されたときには、先読みするデータのデータ量を大きくすることで、読み出したデータの処理を効率よく行うことができると共に、例えば映像の途切れを防止することができる。一方、ＣＤ−ＲＯＭでは、記録されているデータをランダムに読み出すことも多いことから、データを先読みすることが有効とならない場合がある。また、アクセスタイムを短いものするため、各種の制御パラメータが必要となる場合もある。このため、先読みするデータのデータ量を少ないものとして、不要なデータを読み出すことなく効率よくデータの読み出しを行うことができる。
ところで、上述の実施の形態では、光ディスクがコンパクトディスクである場合について説明したが、光ディスクは、コンパクトディスクよりも記録密度を高めて大容量化したＤＶＤであっても同様に、ディスクに記録されたデータに応じた再生動作を行うことができる。
第１６図はＤＶＤでの物理セクタ番号を示している。ディスクの最内周側の物理セクタ番号「０ｈ」から「２ＦＦＦＦｈ」の領域はリードイン領域とされており、ディスクの物理的な仕様やコンテンツ供給者の情報等が示される。リードイン領域に続く物理セクタ番号「３００００ｈ」から外周側の領域はデータ領域とされており、このデータ領域にコンテンツのデータ信号が記録される。またデータ領域の外周側にはデータ領域の終了を示すリードアウト領域が設けられており、光ビームの照射位置が、リードイン領域からリードアウト領域の範囲内で移動可能とされる。
ＤＶＤ−ＲＯＭ規格で用いられているファイルシステムは、ＣＤ−ＲＯＭの規格として用いられているＩＳＯ（Ｉｎｔｅｒｎａｔｉｏｎａｌ Ｏｒｇａｎｉｚａｔｉｏｎ ｆｏｒ Ｓｔａｎｄａｒｄｉｚａｔｉｏｎ）９６６０と、再生専用だけでなく追記や書き換え可能な物理層の規格と組み合わせて使用可能なＵＤＦ（Ｕｎｉｖｅｒｓａｌ Ｄｉｓｋ Ｆｏｒｍａｔ）が用いられており、両方の規格に対応するため、「ＵＤＦ Ｂｒｉｄｇｅ」と呼ばれるファイル構造が用いられている。
第１７図は「ＵＤＦ Ｂｒｉｄｇｅ」のファイル構造を示している。ここで、ＬＳＮ（Ｌｏｇｉｃａｌ Ｓｅｃｔｏｒ Ｎｕｍｂｅｒ：論理セクタ番号）「０」〜「１５」，「２１」〜「３１」，「６６」〜「２５５」はリザーブ領域である。ＬＳＮ「１６」〜「２０」は、「ＵＤＦ Ｂｒｉｄｇｅ Ｖｏｌｕｍｅ Ｒｅｃｏｇｎｉｔｉｏｎ Ｓｅｑｕｅｎｃｅ（ＶＳＲ）」領域であり、ＬＳＮ「１６」は「Ｐｒｉｍａｒｙ Ｖｏｌｕｍｅ Ｄｅｓｃｒｉｐｔｏｒ」、ＬＳＮ「１７」は「Ｖｏｌｕｍｅ Ｄｅｓｃｒｉｐｔｏｒ Ｓｅｔ Ｔｅｒｍｉｎａｔｏｒ」、ＬＳＮ「１８」は「Ｂｅｇｉｎｎｉｎｇ Ｅｘｔｅｎｄｅｄ Ａｒｅａ Ｄｅｓｃｒｉｐｔｏｒ」、ＬＳＮ「１９」は「ＮＳＲ Ｄｅｓｃｒｉｐｔｏｒ」、ＬＳＮ「２０」は「Ｔｅｒｍｉｎａｔｉｎｇ Ｅｘｔｅｎｄｅｄ Ａｒｅａ Ｄｅｓｃｒｉｐｔｏｒ」とされている。ＬＳＮ「１６」の「Ｐｒｉｍａｒｙ Ｖｏｌｕｍｅ Ｄｅｓｃｒｉｐｔｏｒ」は、ＩＳＯ９６６０で規格化されているＣＤ−ＲＯＭのボリューム記述子であり、ＬＳＮ「１７」の「Ｖｏｌｕｍｅ Ｄｅｓｃｒｉｐｔｏｒ Ｓｅｔ Ｔｅｒｍｉｎａｔｏｒ」は、「Ｐｒｉｍａｒｙ Ｖｏｌｕｍｅ Ｄｅｓｃｒｉｐｔｏｒ」の終了を示すものである。ＬＳＮ「１８」の「Ｂｅｇｉｎｎｉｎｇ Ｅｘｔｅｎｄｅｄ Ａｒｅａ Ｄｅｓｃｒｉｐｔｏｒ」は拡張領域開始を示す記述子である。また、ＬＳＮ「１９」の「ＮＳＲ Ｄｅｓｃｒｉｐｔｏｒ」は規格記述子であり、ＩＳＯ／ＩＥＣ（Ｉｎｔｅｒｎａｔｉｏｎａｌ Ｅｌｅｃｔｒｏｔｅｃｈｎｉｃａｌ Ｃｏｍｍｉｓｓｉｏｎ）１３４４の規格で示された記述子が設けられる。ＬＳＮ「２０」の「Ｔｅｒｍｉｎａｔｉｎｇ Ｅｘｔｅｎｄｅｄ Ａｒｅａ Ｄｅｓｃｒｉｐｔｏｒ」は、拡張領域の終了を示す記述子である。
ＬＳＮ「３２」〜「４７」はメインＶＤＳ領域であり、ＬＳＮ「３２」は「Ｐｒｉｍａｒｙ Ｖｏｌｕｍｅ Ｄｅｓｃｒｉｐｔｏｒ」、ＬＳＮ「３３」は「Ｉｍｐｌｅｍｅｎｔａｔｉｏｎ Ｕｓｅ Ｖｏｌｕｍｅ Ｄｅｓｃｒｉｐｔｏｒ」、ＬＳＮ「３４」は「Ｐａｒｔｉｔｉｏｎ Ｄｅｓｃｒｉｐｔｏｒ」、ＬＳＮ「３５」は「Ｌｏｇｉｃａｌ Ｖｏｌｕｍｅ Ｄｅｓｃｒｉｐｔｏｒ」、ＬＳＮ「３６」は「Ｕｎａｌｌｏｃａｔｅｄ Ｓｐａｃｅ Ｄｅｓｃｒｉｐｔｏｒ」、ＬＳＮ「３７」は「Ｔｅｒｍｉｎａｔｉｎｇ Ｄｅｓｃｒｉｐｔｏｒ」とされている。ＬＳＮ「３２」の「Ｐｒｉｍａｒｙ Ｖｏｌｕｍｅ Ｄｅｓｃｒｉｐｔｏｒ」は、ＵＤＦ（Ｕｎｉｖｅｒｓａｌ Ｄｉｓｋ Ｆｏｒｍａｔ）規格でのボリューム記述子であり、ＬＳＮ「３３」の「Ｉｍｐｌｅｍｅｎｔａｔｉｏｎ Ｕｓｅ Ｖｏｌｕｍｅ Ｄｅｓｃｒｉｐｔｏｒ」は論理システム用ボリューム記述子である。またＬＳＮ「３４」の「Ｐａｒｔｉｔｉｏｎ Ｄｅｓｃｒｉｐｔｏｒ」はパーティション記述子であり、ＬＳＮ「３５」の「Ｌｏｇｉｃａｌ Ｖｏｌｕｍｅ Ｄｅｓｃｒｉｐｔｏｒ」は論理ボリューム記述子である。ＬＳＮ「３６」の「Ｕｎａｌｌｏｃａｔｅｄ Ｓｐａｃｅ Ｄｅｓｃｒｉｐｔｏｒ」は割り付け空間記述子であり、ＬＳＮ「３７」の「Ｔｅｒｍｉｎａｔｉｎｇ Ｄｅｓｃｒｉｐｔｏｒ」は記述子の終了を示している。その後、ＬＳＮ「３８」から「４７」が「Ｔｒａｉｌｉｎｇ Ｌｏｇｉｃａｌ Ｓｅｃｔｏｒ」とされる。
ＬＳＮ「４８」〜「６３」はリザーブＶＤＳ領域であり、このリザーブＶＤＳ領域はメインＶＤＳ領域と等しいものとされて、メインＶＤＳ領域の情報が読み出せないときのバックアップとして用いられる。
ＬＳＮ「６４」の「Ｌｏｇｉｃａｌ Ｖｏｌｕｍｅ Ｉｎｔｅｇｒｉｔｙ Ｄｅｓｃｒｉｐｔｏｒ」は、論理ボリュームに発生した各種障害情報を管理するための保全記述子であり、ＬＳＮ「６５」の「Ｔｅｒｍｉｎａｔｉｎｇ Ｄｅｓｃｒｉｐｔｏｒ」は記述子の終了を示している。
ＬＳＮ「２５６」の「Ａｎｃｈｏｒ Ｖｏｌｕｍｅ Ｄｅｓｃｒｉｐｔｏｒ Ｐｏｉｎｔｅｒ」はアンカポイントであり、メインＶＤＳ領域の位置が示される。また、ＬＳＮ「２５７」以降では、目的のファイルに到達するためのパスが示された「Ｐａｔｈ Ｔａｂｌｅ」や「Ｒｏｏｔ Ｄｉｒｅｃｔｏｒｙ」等のＩＳＯ９６６０ファイル構造を示すものとされており、次にＵＤＦで規格化された情報、例えば「Ｆｉｌｅ Ｓｅｔ Ｄｅｓｃｒｉｐｔｏｒ」や「Ｆｉｌｅ Ｅｎｔｒｙ」のＵＤＦファイル構造が示される。その後の領域が、ＵＤＦ／ＩＳＯファイル格納領域とされてコンピュータデータや映像データ等が記録される。また、最後のＬＳＮは第２のアンカポイントとされている。この第２のアンカポイントはＬＳＮ「２５６」のアンカポイントと等しいものとされて、ＬＳＮ「２５６」のアンカポイントを読み出すことができないためのバックアップとして用いられる。
なお、ＵＤＦファイル構造を示す論理セクタ番号ｐの位置からＵＤＦ論理ボリューム空間が割り当てられて、この論理セクタ番号ｐの位置から論理ブロック番号ｑが割り当てられる。
第１８図はディレクトリ構造を示しており、映像データは「ＶＩＤＥＯ＿ＴＳ」のディレクトリ、音声データは「ＡＵＤＩＯ＿ＴＳ」のディレクトリ、コンピュータデータはコンピュータデータのディレクトリにそれぞれ格納される。ここで、拡張子が「ＩＦＯ」のディレクトリは、再生制御情報に関するものである。また、拡張子「ＶＯＤ」は映像データに関するものであり、拡張子「ＡＯＤ」は音声データに関するものである。なお、拡張子「ＢＵＰ」はバックアップ用のものである。
第１９図は、ＤＶＤ５０を再生するディスク再生装置６０の構成を示しており、ＤＶＤ５０はスピンドルモータ部６６によって、所定の速度で回転される。なお、スピンドルモータ部６６は、後述するリードチャネル／サーボ制御部６３からのフレーム同期信号ＳＦに基づいて、ＤＶＤ５０の回転速度が所定の速度となるように駆動される。
ＤＶＤ５０には、ディスク再生装置６０の光ピックアップ６１から光量をコントロールした光ビームが照射される。ＤＶＤ５０で反射された光ビームは、光ピックアップ６１の光検出部（図示せず）に照射される。光検出部では反射された光ビームに基づき光電変換や電流電圧変換を行い、反射された光ビームの光量に応じた信号レベルの電圧信号を生成してＲＦアンプ部６２に供給する。
ＲＦアンプ部６２では、光ピックアップからの電圧信号を用いて読出信号ＳＲＦやトラッキング誤差信号ＳＴＥ、フォーカス誤差信号ＳＦＥを生成して、リードチャネル／サーボ制御部６３に供給する。
リードチャネル／サーボ制御部６３では、供給されたフォーカス誤差信号ＳＦＥに基づき、レーザ光の焦点位置がＤＶＤ５０の記録層の位置となるように光ピックアップ６１の対物レンズ（図示せず）を制御するためのフォーカス制御信号ＳＦＣを生成して、ドライバ６４に供給する。また、供給されたトラッキング誤差信号ＳＴＥに基づき、光ビームの照射位置が所望のトラックの中央位置となるように光ピックアップ６１の対物レンズを制御するためのトラッキング制御信号ＳＴＣを生成して、ドライバ６４に供給する。
ドライバ６４では、フォーカス制御信号ＳＦＣに基づいてフォーカス駆動信号ＳＦＤを生成すると共に、トラッキング制御信号ＳＴＣに基づいてトラッキング駆動信号ＳＴＤを生成する。この生成されたフォーカス駆動信号ＳＦＤおよびトラッキング駆動信号ＳＴＤを、光ピックアップ６１のアクチュエータ（図示せず）に供給することにより対物レンズの位置が制御されて、光ビームが所望のトラックの中央位置で焦点を結ぶように制御される。
また、リードチャネル／サーボ制御部６３では、供給された読出信号ＳＲＦのアシンメトリ補正および２値化を行いディジタル信号に変換して、データ信号ＤＲＦとしてデータ処理部６５に供給する。また、変換して得られたディジタル信号に同期するクロック信号ＣＫＲＦの生成やフレーム同期信号の検出も行い、生成したクロック信号ＣＫＲＦをデータ処理部６５に供給すると共に、フレーム同期信号ＳＦをスピンドルモータ部６６に供給する。
さらに、リードチャネル／サーボ制御部６３では、レーザ光の照射位置がトラッキング制御範囲を超えないように、光ピックアップ６１をＤＶＤ５０の径方向に移動させるためのスレッド制御信号ＳＳＣを生成してスレッド部６７に供給する。スレッド部６７では、このスレッド制御信号ＳＳＣに基づきスレッドモータを駆動して光ピックアップ６１をＤＶＤ５０の径方向に移動させる。
データ処理部６５では、データ信号ＤＲＦを８／１６復調すると共に、ＲＡＭ（Ｒａｎｄｏｍ Ａｃｃｅｓｓ Ｍｅｍｏｒｙ）６８のメモリ領域の一部をワーク領域として用いてリードソロモン積符号による誤り訂正処理等も行う。ここで誤り訂正処理がなされたデータ信号は、ＲＡＭ６８のメモリ領域の一部であるキャッシュ領域に蓄えられたのち、再生データ信号ＲＤとして例えばＡＴＡＰＩ（ＡＴ Ａｔｔａｃｈｍｅｎｔ Ｐａｃｋｅｔ Ｉｎｔｅｒｆａｃｅ）規格のインタフェース部６９を介してコンピュータ装置に供給される。また、データ信号ＤＲＦから光ディスク上の位置を示す位置情報が読み出されて制御部７０に供給される。さらに、ＤＶＤ５０に記録されている欠陥位置情報が読み出されたときには、この欠陥位置情報が制御部７０に供給される。
制御部７０にはＲＯＭ７１が接続されており、ＲＯＭ７１に記憶されている動作制御用プログラムに基づいてコンピュータ装置からのコマンドを処理してディスク再生装置６０の各部の動作を制御する。例えば、コンピュータ装置からＡＴＡＰＩコマンドによって論理アドレスを用いてアクセス要求がなされた場合、制御部７０では、データ処理部６５から供給された光ディスクの欠陥位置情報を参照しながら論理アドレスを物理アドレスに変換すると共に、データ処理部６５から供給された光ディスク上の位置を示す情報を利用して、変換して得られた物理アドレスの位置に速やかにアクセスできるように光ピックアップ６１を駆動することが行われる。
次に、第２０図を用いてディスク再生装置６０でのデータ再生動作について説明する。ＤＶＤ５０に書き込まれているデータを要求するコマンドがコンピュータ装置から供給されると、ディスク再生装置６０の制御部７０では、供給されたコマンドが有効であるか否かをステップＳＴ４１で判別する。ここで、コマンドが誤っている場合や処理できないコマンドであって有効でないと判別されたときにはステップＳＴ４２に進み、コンピュータ装置に対してコマンドが有効でないことを通知して処理を終了する。また、コマンドが有効であるときにはステップＳＴ４３に進む。
ステップＳＴ４３では、コマンドで要求されたデータがＲＡＭ６８に蓄えられているか否かの判別を行い、データが蓄えられていると判別したときにはステップＳＴ４４に進み、要求されたデータをＲＡＭ６８からコンピュータ装置に転送して処理を終了する。また、データが蓄えられていると判別されないときにはステップＳＴ４５に進む。
ステップＳＴ４５ではリトライ回数Ｎを「０」に設定してステップＳＴ４６に進み割り込み処理を行う。ステップＳＴ４６の割り込み処理では、１６セクタ単位でデータの読み出しを行い、要求されたデータを光ピックアップ６１及びＲＦアンプ部６２を介してディスクから読み出すと共に、データ処理部６５ではリードチャネル／サーボ制御部６３から供給されたデータ信号ＤＲＦの誤り訂正を行い、セクタ毎に付加されているＥＤＣ（Ｅｒｒｏｒ Ｄｅｔｅｃｔｉｏｎ Ｃｏｄｅ）を用いて誤り訂正が正しく行われたかを判別して、割り込み処理を終了する。なお、リトライ回数Ｎは、正しくデータを読み出すことができないためにステップＳＴ４６の処理を繰り返した回数を示すものである。
次に、ステップＳＴ４７では、最初のセクタの例えば物理セクタ番号をＩＤ情報として、制御部７０内のレジスタに保存すると共に、ＥＤＣを用いた判別結果を保存してステップＳＴ４８に進む。ステップＳＴ４８では、ディスクがＤＶＤ−Ｖｉｄｅｏであると検出されたことを示す検出フラグがセットされているか否かを判別する。ここで、ディスクがＤＶＤ−Ｖｉｄｅｏであるか否かの検出が行われていないために検出フラグがセットされていないとき、あるいは検出が行われた結果、ディスクがＤＶＤ−Ｖｉｄｅｏであると検出されないために検出フラグがセットされていないときにはステップＳＴ４９に進み、ディスクがＤＶＤ−Ｖｉｄｅｏであるか否かを判別するディスク判別処理を行う。また、ディスクがＤＶＤ−Ｖｉｄｅｏであると判別されて判別結果フラグがセットされているときにはステップＳＴ５０に進む。
第２１図は、ステップＳＴ４９のディスク判別処理を示すフローチャートである。ステップＳＴ６１では、保存されているＩＤ情報が、ＬＳＮ「２５６」を示す物理セクタ番号「３０１００ｈ」であると共に、ＥＤＣを用いた判別結果に基づいて、誤り訂正処理が正しく完了したか否かを判別する。ここで、ＩＤ情報が物理セクタ番号「３０１００ｈ」を示しているとき、すなわち「Ｐａｔｈ Ｔａｂｌｅ」の情報が含まれて１６セクタ分のデータの読み出しが行われて、さらに誤り訂正処理が正しく完了したときにはステップＳＴ６２に進み、ＩＤ情報が物理セクタ番号「３０１００ｈ」を示していないときや、誤り訂正処理が正しく完了していないときには判別処理を終了する。
ステップＳＴ６２では、ＲＡＭ６８に蓄えられているデータの「Ｐａｔｈ Ｔａｂｌｅ」が含まれているセクタのデータからディレクトリの情報を示すデータを読み込んで、映像データのディレクトリを示す文字が検出されたか否かを判別する。
第２２図は、ＬＳＮ「２５６」の位置から１６セクタ分読み出されてＲＡＭ６８に蓄えられたデータの一部を示すダンプリストである。ステップＳＴ６２では、「Ｔｙｐｅ Ｌ Ｐａｔｈ Ｔａｂｌｅ」が含まれているＬＳＮ「２５７」（物理セクタ番号「３０１０１ｈ」）のセクタデータの３１番目（最初のデータのアドレスを「０ｈ」としたときにアドレス「１Ｅｈ」）からデータを読み込んで所定の文字列、例えば映像データが記録されていることを判別可能とする文字列「ＶＩＤＥＯ＿ＴＳ（データは５６ ４９ ４４ ４５ ４Ｆ ５Ｆ ５４ ５３）」が検出されたか否かを判別する。ここで、文字列が検出されたときにはステップＳＴ６６に進み、検出されないときにはステップＳＴ６３に進む。
ステップＳＴ６３では、ステップＳＴ６２の場合と等しいセクタで４７番目（最初のデータのアドレスを「０ｈ」としたときにアドレス「２Ｅｈ」）からデータを読み込んで、所定の文字列が検出されたか否かを判別する。ここで、文字列が検出されたときにはステップＳＴ６６に進み、検出されないときにはステップＳＴ６４に進む。
このように、ステップＳＴ６２，６３によって、等しいセクタの異なる位置から文字列の検出を行うことにより、例えば音声データが記録されていないために、「ＶＩＤＥＯ＿ＴＳ」の文字列が第２２図に示す「ＡＵＤＩＯ＿ＴＳ」の位置とされても、文字列を確実に検出できる。
次に、ステップＳＴ６４では、ＲＡＭ６８に蓄えられているデータの「Ｐａｔｈ Ｔａｂｌｅ」が含まれているセクタでステップＳＴ６２，ＳＴ６３とは異なるセクタの所定位置からデータを読み込み、所定の文字が検出されたか否かを判別する。例えば、「Ｔｙｐｅ Ｍ Ｐａｔｈ Ｔａｂｌｅ」が含まれているＬＳＮ「２５８」（物理セクタ番号「３０１０２ｈ」）のセクタデータの３１番目からデータを読み込んで、所定の文字列が検出されたか否かを判別し、文字列が検出されたときにはステップＳＴ６６に進み、検出されないときにはステップＳＴ６５に進む。
ステップＳＴ６５では、ステップＳＴ６４場合と同じセクタの４７番目からデータを読み込んで所定の文字列が検出されたか否かを判別する。このようにステップＳＴ６２，６３とステップＳＴ６４，６５で異なるセクタに対して文字列の検出を行うことにより、更に確実に文字列を検出することができる。
このステップＳＴ６５で、文字列が検出されたときにはステップＳＴ６６に進む。また、検出されないときには、ステップＳＴ６２〜６５のいずれにおいても、映像データが記録されていることを判別可能とする文字列が検出されないことから、ＤＶＤ−Ｖｉｄｅｏのディスクではないと判別して処理を終了する。
ステップＳＴ６２〜６５からステップＳＴ６６に進むと、映像データが記録されていることを判別可能とする文字列「ＶＩＤＥＯ＿ＴＳ」が検出されていることから、データの読み出されたディスクはＤＶＤ−Ｖｉｄｅｏのディスクであると判別されて、判別結果フラグをセットして判別処理を終了する。
このようにして、映像データが記録されているときに、映像データが記録されていることを判別可能とする文字列が記録されるセクタからデータを読み出して、この映像データを有することを示す文字列の検出を行うことにより、検出結果に基づきＤＶＤ−Ｖｉｄｅｏのディスクであるか否かの判別を正しく行うことができる。
また、上述の場合には、「Ｐａｔｈ Ｔａｂｌｅ」が含まれている複数のセクタで、映像データ等が記録されていることを判別可能とする文字列が所定の位置に記録されていることから、文字列の検出開始位置を３１番目あるいは４７番目としたが、この文字列の位置が固定していないときには、セクタの先頭からデータを読み出して映像データが記録されていることを示す文字列のデータであるか否かを判別するものとしても良い。さらに、映像データが記録されていることを示す文字列のデータが記録されているセクタであれば、「Ｐａｔｈ Ｔａｂｌｅ」が含まれたセクタに限られるものでないことは勿論である。
このようにして判別処理が終了すると、第２０図に示すようにステップＳＴ４９からステップＳＴ５２に進む。また、ステップＳＴ４８からステップＳＴ５０に進むと、ステップＳＴ５０ではリトライ回数Ｎが所定回数ＮＲよりも多くなったか否かを判別する。ここで、リトライ回数Ｎが所定回数ＮＲよりも多くなったときにはステップＳＴ５１に進み、リトライ回数Ｎが所定回数ＮＲよりも多くないときにはステップＳＴ５２に進む。
ステップＳＴ５１では、ステップＳＴ４７で保存されたＩＤ情報に基づき、ＤＶＤ−Ｖｉｄｅｏのディスクから読み出されたデータが再生動作に関する情報のデータであるか映像等の再生データであるかを判別する。ここで、再生動作に関する情報のデータ、例えばボリューム記述子やファイル構造等のデータが物理セクタ番号「３００００ｈ」〜「ｋｈ」の範囲内に記録されているときには、保存されたＩＤ情報の物理セクタ番号「ＲＳｈ」が「ｋｈ」よりも大きいか否かによって、読み出されたデータが再生動作に関する情報のデータであるか映像等の再生データであるかを判別できる。この保存されたＩＤ情報の物理セクタ番号「ＲＳｈ」が「ｋｈ」よりも大きくないときにはステップＳＴ５２に進む。また、大きいときにはＲＡＭ６８に蓄えられたデータが、ＤＶＤ−Ｖｉｄｅｏのディスクに記録された映像等の再生データであり、リトライ回数が所定回数ＮＲよりも大きくなっていることから、要求されたデータをステップＳＴ５１でＲＡＭ６８から読み出してコンピュータ装置に供給し、コマンドに対する処理を終了する。
ステップＳＴ５２では、ＥＤＣを用いた判別結果に基づいて、誤り訂正処理が完了されたと共に誤り訂正処理が正しく行われたか否かを判別する。ここで、誤り訂正処理が正しく完了していないときにはステップＳＴ５３に進む。また、誤り訂正処理が正しく完了したときには、ＲＡＭ６８に蓄えられているデータは正しいものであることから、ステップＳＴ５４でコンピュータ装置からのコマンドで要求されたデータをＲＡＭ６８から読み出してコンピュータ装置に供給し、コマンドに対する処理を終了する。
ステップＳＴ５３では、リトライ回数Ｎが所定回数ＮＳよりも大きくなったか否かを判別する。ここで、リトライ回数Ｎが所定回数ＮＳよりも大きくないときにはステップＳＴ５５に進み、リトライ回数Ｎに「１」を加算して新たなリトライ回数としてステップＳＴ４６に戻り、再度ディスクからデータの読み出しを行う。また、リトライ回数Ｎが所定回数ＮＳよりも大きくなったときには、データを正しく読み出すことができないと共に、ＤＶＤ−ＶｉｄｅｏでもないことからステップＳＴ５６でコンピュータ装置側にエラーを通知したのちコマンドに対する処理を終了する。
このように、第２０図および第２１図の処理によって、コンピュータ装置からデータの読み出し要求がなされて、再生動作に関する情報のデータが記録されている物理セクタ番号「３０１００ｈ」から１６セクタのデータが読み出されると自動的に、データの読み出されたＤＶＤが、映像データを記録したＤＶＤ−Ｖｉｄｅｏのディスクであるか否かの判別が行われる。また、映像データを記録したＤＶＤ−Ｖｉｄｅｏのディスクであると判別されて、所定回数ＮＲよりも多くデータの読み出しを行っても、読み出されたデータの誤り訂正処理が正しく完了できないと判別されたときには、コンピュータ装置にデータの供給が行われる。また、映像データを記録したＤＶＤ−Ｖｉｄｅｏのディスクであると判別されないと共に、所定回数ＮＳよりも多くデータの読み出しを行っても、読み出されたデータの誤り訂正処理が正しく完了できないと判別されたときには、コンピュータ装置にエラー通知が行われる。
このため、ＤＶＤ−Ｖｉｄｅｏと判別されたときの所定回数ＮＲを所定回数ＮＳよりも少なくすることで、映像再生を途切れることなく行うことができる。また、ＤＶＤ−Ｖｉｄｅｏと判別されていないときや読み出されたデータが制御データであるとき、所定回数ＮＳを多くすることによりデータを正しく読み出せる確率を高められると共に、データが正しく読み出せないときにはエラー通知が行われるので、例えばＤＶＤ−ＲＯＭのディスクでは、正しいデータだけをコンピュータ装置に供給することができる。
また、上述の実施の形態では、供給されたコマンドによって要求されたデータの読み出しを行い、検出フラグがセットされていないときには、ステップＳＴ４９のディスク判別処理で読み出されたデータが物理セクタ番号「３０１００ｈ」から１６セクタのデータのときに自動的にディスク判別処理を行うものとしたが、ディスクがディスク再生装置に装着されたときに、物理セクタ番号「３０１００ｈ」から１６セクタのデータを読み出してＤＶＤ−Ｖｉｄｅｏのディスクであるか否かの判別結果を保存するものとし、ステップＳＴ４８では保存した判別結果を用いるものとしても、コマンドに対するデータの供給動作を上述の場合と同様に行うことができる。
さらに、上述の実施の形態では、ディスクの判別結果に基づいてデータの供給動作を切り替えるものとしたが、ディスクの判別結果を他の動作にも利用するものとしても良い。
ここで、ディスクの判別結果に基づいてスピンドルモータの回転制御を切り替えるものとする。例えば、ＤＶＤ−Ｖｉｄｅｏのディスクであると判別された場合、映像再生であってデータを高速に読み出す必要性が少ないことから標準速度でディスクを回転させることにより、消費電力の増加を防止したりディスク装置の動作音を小さくできる。また、ＤＶＤ−Ｖｉｄｅｏのディスクであると判別されない場合、標準速度よりも高速にディスクを回転させてデータの読み出しを行うことによりデータの転送速度を高めることが可能となり、コンピュータ装置での処理を効率よく行うことができる。
また、ディスクの判別結果に基づいて先読みするデータのデータ量を切り替えることもできる。ＤＶＤ−Ｖｉｄｅｏのディスクでは、映像等の再生のために記録されているデータをシーケンシャルに読み出すことが多い。このため、ＤＶＤ−Ｖｉｄｅｏのディスクであると判別されたときには、先読みするデータのデータ量を大きくすることで、読み出したデータの処理を効率よく行うことができると共に、例えば映像の途切れを防止することができる。
一方、コンピュータデータを記録したＤＶＤ−ＲＯＭのディスクでは、記録されているデータをランダムに読み出すことも多いことから、データを先読みすることが有効とならない場合がある。また、アクセスタイムを短いものするため、各種の制御パラメータが必要となる場合もある。このため、先読みするデータのデータ量を少ないものとして、不要なデータを読み出すことなく効率よくデータの読み出しを行うことができる。さらに、ディスクの回転速度やデータの読み出し条件を変更してリトライ処理を行うことにより、データを正しく読み出せる確率を高めることができる。
なお、上述のディスクの判別結果に基づいた動作制御は例示的なものであって、上述の動作制御に限定されるものでないことは勿論である。
産業上の利用可能性 以上のように、本発明に係る光ディスク判別方法と光ディスク再生方法および光ディスク装置は、異なるコンテンツのデータが記録される複数種類の光ディスクを再生する際に有用であり、特にコンピュータ・データのように高い信頼性が要求されるデータを記録した光ディスクや、映像データ等のように転送レート確保して連続性を優先させるデータを記録した光ディスクを再生する際に好適である。
【図面の簡単な説明】
第１図は、コンパクトディスクの構成を示す図である。第２図は、ＣＤ信号のフレーム構成を示す図である。第３図は、サブコードＱの構成を示す図である。第４Ａ図〜第４Ｄ図は、ブロック内のデータ構成を示す図である。第５図は、ＣＤ−ＲＯＭのディスク構造を示す図である。第６図はビデオＣＤのディスク構造を示す図である。第７Ａ図〜第７Ｄ図はトラックに記録される圧縮データを説明するための図である。第８図はリトライ処理を示すフローチャートである。第９図は、サブヘッダの構成を示す図である。第１０図は他のリトライ処理を示すフローチャートである。第１１図はディスク再生装置の構成を示す図である。第１２図はリトライ処理の設定動作を示すフローチャートである。第１３図は、ビデオＣＤ識別情報の確認処理を示すフローチャートである。第１４Ａ図と第１４Ｂ図は、４．００秒の位置のセクタから読み出したデータの一例を示す図である。第１５図は、ヘッダの構成を示す図である。第１６図は、ＤＶＤディスクの物理セクタ番号を示す図である。第１７図は、ディレクトリ構造を示す図である。第１８図は、ＵＤＦ  Ｂｒｉｄｇｅのデータ構造を示す図である。第１９図は、ディスク再生装置の構成を示す図である。第２０図は、データ再生動作を示すフローチャートである。第２１図は、データ判別処理を示すフローチャートである。第２２図は、ＲＡＭに蓄えられたデータの一部を示す図である。
【図１】
0004759903.tif 000002
【図２】
0004759903.tif 000003
【図３】
0004759903.tif 000004
【図１６】
0004759903.tif 000005
【図４Ａ】
0004759903.tif 000006
【図４Ｂ】
0004759903.tif 000007
【図４Ｃ】
0004759903.tif 000008
【図４Ｄ】
0004759903.tif 000009
【図５】
0004759903.tif 000010
【図６】
0004759903.tif 000011
【図７Ａ】
0004759903.tif 000012
【図７Ｂ】
0004759903.tif 000013
【図７Ｃ】
0004759903.tif 000014
【図７Ｄ】
0004759903.tif 000015
【図８】
0004759903.tif 000016
【図１０】
0004759903.tif 000017
【図９】
0004759903.tif 000018
【図１５】
0004759903.tif 000019
【図１１】
0004759903.tif 000020
【図１２】
0004759903.tif 000021
【図１３】
0004759903.tif 000022
【図１４Ａ】
0004759903.tif 000023
【図１４Ｂ】
0004759903.tif 000024
【図１７】
0004759903.tif 000025
【図１８】
0004759903.tif 000026
【図１９】
0004759903.tif 000027
【図２０】
0004759903.tif 000028
【図２１】
0004759903.tif 000029
【図２２】
0004759903.tif 000030